(57)【要約】【課題】化粧的処理及び／又は皮膚化粧的処理の排出作用を実証する方法。【解決手段】処理の前に、高い空間分解能を有する磁気共鳴イメージング（ＭＲＩ）技術を用いて、表面の真皮及び／又は表皮中の水分含有量を表す、少なくとも１の第一のデータを取得すること；組成物で身体の少なくとも一部を処理すること；処理後、該ＭＲＩイメージング技術を用いて、表面の真皮及び／又は表皮中の水分含有量を表す、少なくとも１の第二のデータを取得すること；第一及び第二のデータを比較することにより、排出作用を実証することを含む方法。【特許請求の範囲】
【請求項１】
化粧的処理及び／又は皮膚化粧的処理の排出作用を実証する方法において、
該方法が、
・処理の前に、高い空間分解能を有する磁気共鳴イメージング（ＭＲＩ）技術を用いて、表面の真皮及び／又は表皮中の水分含有量を表す、少なくとも１の第一のデータを取得すること；
・組成物で身体の少なくとも一部を処理すること；
・処理後、該ＭＲＩイメージング技術を用いて、表面の真皮及び／又は表皮中の水分含有量を表す、少なくとも１の第二のデータを取得すること；
・第一及び第二のデータを比較することにより、排出作用を実証すること
を含む方法。
【請求項２】
処理が、組成物の局所的な施与を含むことを特徴とする、請求項１に記載の方法。
【請求項３】
処理が、全身的な手段、特に摂取又は吸入による上記組成物の投与を含むことを特徴とする、請求項１に記載の方法。
【請求項４】
Ｎ（Ｈ）が、処理の前後で比較されることを特徴とする、請求項１〜３のいずれか１項に記載の方法。
【請求項５】
緩和時間Ｔ１が、処理の前後で比較されることを特徴とする、請求項１〜３のいずれか１項に記載の方法。
【請求項６】
緩和時間Ｔ２が、処理の前後で比較されることを特徴とする、請求項１〜３のいずれか１項に記載の方法。
【請求項７】
該組成物が、脂肪分解性の活性成分を含むことを特徴とする、請求項１〜６のいずれか１項に記載の方法。
【請求項８】
組成物が、化粧料的に許容される媒体中に少なくとも１の活性成分、特に脂肪分解性の活性成分を含み、該活性成分は、組成物中に十分な量で存在するとき、特に局所的又は全身的な手段による該活性成分の使用が、表面の真皮及び／又は表皮中で少なくとも２．５％のＮ（Ｈ）の減少を起こし得るようなものであることを特徴とする化粧料組成物。
【請求項９】
組成物が、化粧料的に許容される媒体中に少なくとも１の活性成分、特に脂肪分解性の活性成分を含み、該活性成分は、組成物中に十分な量で存在するとき、特に局所的又は全身的な手段による該活性成分の使用が、表面の真皮及び／又は表皮中で少なくとも２．０％のＴ１の減少を起こし得るようなものであることを特徴とする化粧料組成物。
【請求項１０】
組成物が、化粧料的に許容される媒体中に少なくとも１の活性成分、特に脂肪分解性の活性成分を含み、該活性成分は、組成物中に十分な量で存在するとき、特に局所的又は全身的な手段による該活性成分の使用が、表皮中で少なくとも１．５％のＴ２の減少を起こし得るようなものであることを特徴とする化粧料組成物。
【請求項１１】
Ｎ（Ｈ）の変化が、表面の真皮及び／又は表皮中で少なくとも４％であることを特徴とする、請求項８に記載の化粧料。
【請求項１２】
Ｎ（Ｈ）の変化が、表面の真皮中で少なくとも９％であることを特徴とする、請求項８に記載の化粧料。
【請求項１３】
組成物が、カフェイン及びその誘導体、クエン酸カフェインエステル、テオフィリン及びその誘導体、テオブロミン、アセフィリン、アミノフィリン、クロロエチルテオフィリン、ジプロフィリン、ジニプロフィリン、エタミフィリン及びその誘導体、エトフィリン、プロキシフィリン、エフェドリン及びその誘導体、カフェイン及びシラノールの組み合わせ、キサンチン塩基を含む天然起源の化合物、例えば茶、コーヒー、ガラナ、マテ、コーラ（コラノキ）の抽出物；ガルシニアカンボジアの植物抽出物、中国の柴胡の抽出物、一般のツタ（Hedera Helix）、アルニカ(ArnicaMontana L)、ローズマリー(Rosmarinus officinalis L)、マリーゴールド(Calendula officinalis)、セージ(Salvia officinalis L)、ニンジン(Panaxginseng)、セイヨーオトリギソウ(Hypericum Perforatum)、ナギイカダ(Ruscusaculeatus L)、メドウスイート(Filipendula ulmaria L)、オルソシホン(OrthosiphonStamincus Benth)、シラカバ(Betula alba) の抽出物、セクロビア及びアルガンの木の抽出物、イチョウの抽出物、スギナの抽出物、エスシンの抽出物、リン脂質及びマロニエ樹皮からのプロアントシアニジンの錯体、カンズーの抽出物、クリサンスマムインジシウムの抽出物、サポゲニン、例えばジオスゲニン又はヘコゲニン、それらの誘導体及びそれらを含む天然物、特にワイルドヤム、の抽出物、アルメニアシー、アトラクチロジスプラチコドン、シノムーメナム、ケンゴシ、エノキマメ属の植物からの抽出物、コレウス、例えばコレウスフォルスコリ、コレウスブルメイ、コレウスエスキロリ、コレウススクテラロイド、コレウスキサントス及びコレウスバルバトスの抽出物、バロッタの抽出物、グイオア、ダバリア、テーミナリア、バリングトニア、トレマ、アンチロビアの抽出物、藻類又は植物プランクトンの抽出物、例えばロディステロール又はラミナリアディジタタ、藻類スケレトネマ、及び珪藻類の抽出物から選択された少なくとも１の活性成分を含むことを特徴とする、請求項８〜１２のいずれか１項に記載の組成物。
【請求項１４】
水分含有量の変化が、４週間の処理の後に観察されることを特徴とする、請求項８〜１３のいずれか１項に記載の組成物。
【請求項１５】
組成物が、ジオスゲニンに富むヤマノイモの少なくとも１の抽出物を含むことを特徴とする、請求項８〜１４のいずれか１項に記載の組成物。
【請求項１６】
ヤマノイモの抽出物が、ワイルドヤムの塊茎から由来することを特徴とする、請求項１５に記載の組成物。
【請求項１７】
組成物が、Ｃ６〜Ｃ２２の脂肪酸又は脂肪酸の混合物の少なくとも１のグリセリド、場合によりポリオキシエチレン化及び／又はポリオキシプロピレン化されていてもよい、を含むことを特徴とする、請求項８〜１６のいずれか１項に記載の組成物。
【請求項１８】
組成物が、総組成物重量に関して５重量％以上、好ましくは８重量％以上の濃度で「ジオショール」を含むことを特徴とする、請求項８〜１０のいずれか１項に記載の組成物。
【請求項１９】
組成物が、熱可塑性容器に包装されていることを特徴とする、請求項８〜１８のいずれか１項に記載の組成物。
【請求項２０】
組成物が、熱可塑性容器以外の容器に包装されていることを特徴とする、請求項８〜１８のいずれか１項に記載の組成物。
【請求項２１】
組成物が、組成物を施与するための、特定の一連の手の動きを記載する説明と共に包装されていることを特徴とする、請求項８〜２０のいずれか１項に記載の組成物。
【請求項２２】
表面の真皮及び／又は表皮に対して排出効果を有する組成物の製造のために、脂肪分解性の活性成分を使用する方法。
【請求項２３】
脂肪分解性の活性成分が、カフェイン及びその誘導体、クエン酸カフェインエステル、テオフィリン及びその誘導体、テオブロミン、アセフィリン、アミノフィリン、クロロエチルテオフィリン、ジプロフィリン、ジニプロフィリン、エタミフィリン及びその誘導体、エトフィリン、プロキシフィリン、エフェドリン及びその誘導体、カフェイン及びシラノールの組み合わせ、キサンチン塩基を含む天然起源の化合物、例えば茶、コーヒー、ガラナ、マテ、コーラ（コラノキ）の抽出物；ガルシニアカンボジアの植物抽出物、中国の柴胡の抽出物、一般のツタ（Hedera Helix）、アルニカ(ArnicaMontana L)、ローズマリー(Rosmarinus officinalis L)、マリーゴールド(Calendula officinalis)、セージ(Salvia officinalis L)、ニンジン(Panaxginseng)、セイヨーオトリギソウ(Hypericum Perforatum)、ナギイカダ(Ruscusaculeatus L)、メドウスイート(Filipendula ulmaria L)、オルソシホン(OrthosiphonStamincus Benth)、シラカバ(Betula alba) の抽出物、セクロビア及びアルガンの木の抽出物、イチョウの抽出物、スギナの抽出物、エスシンの抽出物、リン脂質及びマロニエ樹皮からのプロアントシアニジンの錯体、カンズーの抽出物、クリサンスマムインジシウムの抽出物、サポゲニン、例えばジオスゲニン又はヘコゲニン、それらの誘導体及びそれらを含む天然物、特にワイルドヤムの抽出物、アルメニアシー、アトラクチロジスプラチコドン、シノムーメナム、ケンゴシ、エノキマメ属の植物からの抽出物、コレウス、例えばコレウスフォルスコリ、コレウスブルメイ、コレウスエスキロリ、コレウススクテラロイド、コレウスキサントス及びコレウスバルバトスの抽出物、バロッタの抽出物、グイオア、ダバリア、テーミナリア、バリングトニア、トレマ、アンチロビアの抽出物、藻類又は植物プランクトンの抽出物、例えばロディステロール又はラミナリアディジタタ、藻類スケレトネマ、及び珪藻類の抽出物から選択されることを特徴とする、請求項２２に記載の方法。
【請求項２４】
活性成分が、ジオスゲニンに富むヤマノイモの抽出物であることを特徴とする、請求項２２に記載の方法。
【請求項２５】
ヤマノイモの抽出物が、ワイルドヤムの塊茎から由来することを特徴とする、請求項２４に記載の方法。
【請求項２６】
組成物が、Ｃ６〜Ｃ２２の脂肪酸又は脂肪酸の混合物の少なくとも１のグリセリド、場合によりポリオキシエチレン化及び／又はポリオキシプロピレン化されていてもよい、を含むことを特徴とする、請求項２２に記載の方法。
【請求項２７】
組成物が、総組成物重量に関して５重量％以上、好ましくは８重量％以上の濃度で「ジオショール」を含むことを特徴とする、請求項２２に記載の方法。
【発明の詳細な説明】
【技術分野】
【０００１】
本発明は、化粧料及び／又は皮膚化粧料の分野、特に排出する作用を有する組成物に関し、その非排他的な例は、ある痩身製品、又はアンチセルライト製品である。本発明は、そのような化粧料組成物及び／又は皮膚化粧料組成物の効果の研究にもまた重要である。本明細書において使用される用語「化粧料組成物」は、１９９３年６月１４日付けの指令書(Directive)93/35/EEC、補正指令書(amending  Directive)76/768/EECにおいて定義された組成物を意味する。用語「化粧料組成物」は、本明細書において化粧料組成物及び／又は皮膚化粧料組成物の両者を指すために使用される。
【０００２】
痩身作用を主張する多くの化粧料組成物が、公知である；それらは脂質生合成を制限する、又は脂質分解を促進することにより作用する。
【０００３】
排出作用、特に痩身作用を主張する組成物を施与することにより誘起される効果を示すことはかなり困難であり、特にそのような効果を定量化することは困難であることが判明し得る。
【０００４】
相対的に短期間の定量化可能な効果を示すこともまた困難であることが判明し得る。
【発明の開示】
【発明が解決しようとする課題】
【０００５】
第一の側面において、本発明は、化粧料組成物の使用を含む化粧的処理の排出作用を示す方法を提供することを目的とする。
【０００６】
本発明の文脈において、用語「排出作用」は、表皮及び／又は表面の真皮における水の保持を減少させる作用を意味する。
【課題を解決するための手段】
【０００７】
即ち、第一の側面において、本発明は、処理の排出作用を実証する方法を提供し、該方法は、
・処理の前に、高い空間分解能を有する磁気共鳴イメージング（ＭＲＩ）技術を用いて、表面の真皮及び／又は表皮中の水分含有量を表す少なくとも１の第一のデータを取得すること、
・組成物で身体の少なくとも一部を、特に局所的な手段又は全身的な手段により、処理すること；
・処理後、該ＭＲＩイメージング技術を用いて、表面の真皮及び／又は表皮中の水分含有量を表す、少なくとも１の第二のデータを取得すること、
・第一及び第二のデータを比較することにより、排出作用を示すこと
を含む。
【０００８】
用語「全身的な手段により」は、好ましくは摂取又は吸入によることを意味する。
【発明を実施するための最良の形態】
【０００９】
用語「高い空間分解能を有するＭＲＩイメージング技術」は、得られたＭＲＩイメージ上で表面の真皮から表皮を識別するために十分である空間分解能を有するＭＲＩ技術、特にプロトンイメージングを意味する。典型的には、十分な深さ空間分解能(depth spatial resolution)は、５０μｍ（マイクロメーター）又はよりよいオーダー、好ましくは３５μｍ又はよりよいオーダーである。
【００１０】
用語「表面の真皮」は、表皮及び深い真皮の間に広がる真皮の部分を意味し、該深い真皮の脂肪の多い組織の中へと凹凸(indentation)が広がり得る。人によっては、表面の真皮は、皮膚の表面から５０μｍ〜５００μｍの範囲の深さまで広がり得る。
【００１１】
上述の処理は、おそらく、皮膚の表面層における水保持に作用を有する少なくとも１の活性成分を含む組成物の局所的施与を含み得る。用語「皮膚の表面層」とは、表面の真皮及び表皮を表す。
【００１２】
あるいは、処理は、経口化粧料を用いて、又は吸入により行われ得る。
【００１３】
もし適切であれば、処理は有利にマッサージ、特にリンパ循環に作用することができるマッサージをさらに含む。
【００１４】
排出活性を示すために、処理の前及び後のＮ（Ｈ）を比較することが有利であり得る。Ｎ（Ｈ）は、相対プロトン密度を表し、磁気共鳴イメージングにより検出可能なプロトンのフラクションに対応する。
【００１５】
パラメーターＮ（Ｈ）は、ＭＲＩ技術の当業者に周知であり、The Journal of Investigation  Dermatology、第１００巻、第５号（１９９３年５月）においてS.  Richardら著、論文「高分解能磁気共鳴イメージングによる生体内での皮膚の同定：水の挙動及び年齢に関係する効果」において定義されており、その内容は、参照することにより本明細書に取り込まれる。
【００１６】
しかし、他のパラメーターは、水分含有量を表す。これらは特に、プロトン、特に水、及び環境のプロトン間の相互作用を記載するパラメーターＴ１及びＴ２である。より特に、水分含有量の増加は、以下の論文、例えばMagnetic Resonance in  Medicine、第１７巻、４０２〜４１３ページ（１９９１年）におけるP.  P.  Fatourosら著、「Ｔ１の測定による生体中の脳の水の測定：総水含有量、水和フラクション、及び場の力の効果」に記載されるように、しばしばＴ１の増加と関連する。
【００１７】
該パラメーターＴ１及び／又はＴ２は、Ｎ（Ｈ）と独立して、又はＮ（Ｈ）に対する補足として使用され得る。
【００１８】
処理が、局所的な皮膚への組成物の施与を含むとき、該組成物は脂肪分解性の活性成分、特に下に特定されるものの１つを含み得る。
【００１９】
上述の方法は、ある活性成分の使用に関連された、意外な排出作用の実証を提供し得、表面の皮膚層の水含有量に対するその作用は、先験的に期待され得るものではない。
【００２０】
さらなる側面において、上述の内容から独立して、又は上述の内容と組み合わせて、本発明は、化粧料的に許容される媒体中に少なくとも１の活性成分、特に脂肪分解性の活性成分を含む組成物をもまた提供し、該活性成分は、該組成物中に十分な量で存在するとき、表面の真皮及び／又は表皮中で少なくとも２．５％のＮ（Ｈ）の減少、及び／又は表皮におけるＴ１について少なくとも２％の減少、及び／又はＴ２について少なくとも１．５％の減少を起こし得るようなものである。Ｎ（Ｈ）の減少は、表面の真皮及び／又は表皮中で特に少なくとも４％、表面の真皮中では、好ましくは少なくとも９％であり得る。最適濃度は、特にＴ１及び／又はＴ２及び／又はＮ（Ｈ）の連続測定により実験的に決定され得る。
【００２１】
排出作用は基本的には、単独の活性成分に依存し、又は変形においては、複数の活性成分に依存し、該活性成分の個々の濃度はより低い。
【００２２】
用語「化粧料的に許容される」は、少なくとも皮膚と相溶性のある組成物を意味する。
【００２３】
組成物の排出力は、例えば、朝又は夕方の毎日の使用に対して、上で定義されたＮ（Ｈ）、及び／又はＴ１、及び／又はＴ２の減少が、処理の相対的に短い期間、例えば４週間に渡って観察されるのに、十分強いことが有利である。
【００２４】
該組成物は、カフェイン及びその誘導体、クエン酸カフェインエステル、テオフィリン及びその誘導体、テオブロミン、アセフィリン、アミノフィリン、クロロエチルテオフィリン、ジプロフィリン、ジニプロフィリン、エタミフィリン及びその誘導体、エトフィリン、プロキシフィリン、エフェドリン及びその誘導体、カフェイン及びシラノールの組み合わせ、キサンチン塩基を含む天然起源の化合物、例えば茶、コーヒー、ガラナ、マテ、コーラ（コラノキ(Cola Nitida)）の抽出物；ガルシニアカンボジアの植物抽出物、中国の柴胡（Bupleurum chinensis）の抽出物、一般のツタ（Hedera Helix）、アルニカ（Arnica Montana L）、ローズマリー（Rosamarinus officinalis L）、マリーゴールド（Calendula officinalis）、セージ（Salviaofficinalis L）、ニンジン（Panax ginseng）、セイヨーオトリギソウ(Hypericum Perforatum)、ナギイカダ (Ruscus aculeatus L)、メドウスイート（Filipendula ulmaria L）、オルソシホン（Orthosiphon Stamincus Benth）、シラカバ（Butulaalba）の抽出物、セクロビア（pumpwood）及びアルガンの木の抽出物、イチョウ（ginkgo biloba）の抽出物、スギナの抽出物、エスシン（escin）の抽出物、リン脂質及びマロニエ樹皮からのプロアントシアニジンの錯体、カンズーの抽出物、クリサンスマムインジシウム（chrysanthemum indicium）の抽出物、サポゲニン、例えばジオスゲニン又はヘコゲニン、それらの誘導体及びそれらを含む天然物、特にワイルドヤム、の抽出物、アルメニアシー（Armeniacea）、アトラクチロジスプラチコドン（Atractylodis Platicodon）、シノム−メナム（Sinom-menum）、ケンゴシ（Pharbitidis）、エノキマメ（Flemingia）属の植物からの抽出物、コレウス、例えばコレウスフォレスコリ(C Forskohlii)、コレウスブルメイ(C blumei)、コレウスエスキロリ（C esquirolii）、コレウススクテラロイド（C scutellaroides）、コレウスキサントス（C xanthantus）及びコレウスバルバトス（C Barbatus）の抽出物、バロッタ（Ballota）の抽出物、グイオア（Guioa）、ダバリア（Davallia）、テーミナリア（Terminalia）、バリングトニア（Barringtonia）、トレマ（Trema）、アンチロビア（Antirobia）の抽出物、藻類又は植物プランクトンの抽出物、例えばロディステロール又はラミナリアディジタタ（Laminaria Digitata）、藻類スケレトネマ、及び珪藻類の抽出物から選択された少なくとも１の活性成分を含み得る。
【００２５】
該組成物は、ワイルドヤムの塊茎から由来するジオスゲニンに富むヤマノイモ（Dioscorea）の少なくとも１の抽出物を特に含む。この抽出物又は排出作用を有する任意の他の活性成分は、例えば、Ｃ６〜Ｃ２２の一つの脂肪酸又は脂肪酸の混合物の少なくとも１のグリセリド、場合によりポリオキシエチレン化及び／又はポリオキシプロピレン化されていてもよい、とともに該組成物中に存在し得る。
【００２６】
例えば、ポリエチレングリコール（６０Ｅ）及びカプリル酸及びカプリン酸のモノ−、ジ−、及びトリ−グリセリドの誘導体／保存剤／グリセリン（重量比１／９３．８／０．２／５）の混合物中における溶液中のヤマノイモの塊茎の抽出物を選択することが可能であり得、それは総組成物重量に関して特に５％以上、好ましくは８％の濃度で「ジオショール（Dioschol）」の商標名でSEDERMA社により販売されている。
【００２７】
本発明は、表面の真皮及び／又は表皮への排出効果を有する組成物の生産のために、脂肪分解性の活性成分、例えばヤマノイモの塊茎の抽出物、例えば上述されたものの使用をもまた提供する。この排出効果は、それ自体特許請求され得る。
【００２８】
更なる側面において、本発明は、化粧料組成物の販売を促進する方法に関し、該方法は、磁気共鳴イメージング技術により実証される特に表面の真皮及び／又は表皮における排出作用を強調する。
【００２９】
任意の伝達チャンネルが販売促進(promotion)のために使用されることができるだろう。それは、特に、コマーシャル又はショートメッセージの文脈において、直接販売の地において、ラジオで、テレビで、又は電話により小売業者により実行され得る。販売促進は、新聞を通じて、又は他の任意の書類により、特に宣伝目的のための書類によってもまた実行され得る。販売促進はインターネットを通じて、任意の他の適する情報ネットワークを通じて、又は携帯電話ネットワークを通じてもまた実行され得る。それは、直接包装の上、又は該組成物と関連する任意の他の注記の上に置かれてもよい。
【００３０】
本発明は、添付の図面を参照して以下の詳細な説明からよりよく理解されることができる。
【００３１】
皮膚に施与された化粧料組成物の排出活性を実証するために、以下のプロトコルを用いてＭＲＩイメージを取得することが可能である。
【００３２】
測定プロトコル
例えば、使用されたプロトン磁気共鳴イメージング装置は、ゼネラルエレクトリック社製のＳＩＧＮＡ１．５テスラ装置である。
【００３３】
被試験者は、図１に示されるように装置の中に横たわる。図においてＧｘ、Ｇｙ、及びＧｚは従来どおり、３つのそれぞれの方向における強度勾配を意味する。
【００３４】
もし、装置が深さに関して始めは十分な空間分解能、例えば３５μｍ又はそれよりよい分解能を有していないならば、フランス国特許出願公開第２６１２６４１号に記載されているような、ＭＲＩイメージの空間分解能を改善するように意図されている皮膚イメージングモジュールを装着されてもよく、その内容は参照することにより本明細書に取り込まれる。そのようなモジュールの使用の例は、「The Journal of Investigative  Dermatology」、第９７巻、第１号、（１９９１年７月）、１２０〜１２５ページにおけるS. Richardら著の論文「磁気共鳴イメージングによる皮膚層の生体内プロトン緩和時間分析」に記載されており、その内容は、参照することにより本明細書に取り込まれる。
【００３５】
図２において見られ得るように、脱ミネラル水で満たされた非磁気物質の小さな管がＭＲＩイメージ上に出現して、参照として機能するように、調査領域の近くに置かれる。
【００３６】
各イメージについて、種々の測定が、様々な関心領域において行われ得る。用語「ＲＯＩと省略される関心領域」は、平均シグナル強度の測定が行われるイメージの領域を意味する。
【００３７】
対照
関心領域は、図２において見られ得るように、単純な長方形により定義される。
【００３８】
表皮
関心領域は、図２において示されるように、表皮の厚さを貫いて、実質的に端から端まで配置された３つの長方形により定義される。
【００３９】
表面の真皮
関心領域は、表皮及び深い真皮の間において、実質的に端から端まで配置された３つの長方形により定義され、該深い真皮の中へと脂肪質組織の凹みが広がっている。
【００４０】
緩和時間Ｔ１及びＴ２の計算
各関心領域に対して、繰り返し時間Ｔｒ、ここでＴｒはそれぞれ３０００ｍｓ、１５００ｍｓ、７００ｍｓ、及び４００ｍｓ（ミリ秒）である、を変化させることにより５つのイメージが取得される。得られた曲線の例が図３に示される。観察された指数的な変化を最もよく記載する緩和時間Ｔ１の値が、自体公知である様式で計算される。
【００４１】
エコー時間Ｔｅ、これは例えば連続して１０ｍｓ、１５ｍｓ、２５ｍｓ、及び３５ｍｓに等しい、を変化させることにより、４つのイメージもまた緩和時間Ｔ２を測定するために取得される。得られた曲線の例は図４に示される。観察された指数変化を最もよく記載する緩和時間Ｔ２の値は、自体公知の様式で計算される。
【００４２】
次に、各関心領域（表皮又は表面の真皮）に対して、プロトン密度Ｒｈｏ及び相対密度Ｎ（Ｈ）が以下の式から計算される。
【００４３】
【数１】
2006522632.tif 000002
【００４４】
上の式において、Ｓは、Ｔｅ＝１０ｍ秒，及びＴｒ＝３０００ｍ秒で取得されたイメージについて、問題の関心領域中の平均シグナル強度を表す。
【００４５】
プロトン密度Ｒｈｏは、水分含有量を表すと考えられ得るが、取得条件に関連された因子にもまた依存し、一方でＮ（Ｈ）は、調査組織中の水分含有量にのみ依存する。正規化は、個人間、又は任意の個人の異なる時間の間で比較することを可能にする。
【００４６】
即ち、Ｎ（Ｈ）の減少は、皮膚の表面層の水含有量の減少、すなわち排出作用を明らかにする。
【００４７】
同様に、Ｔ１又はＴ２の減少は、皮膚の表面層の水含有量の減少、即ち排出作用を示す。
【００４８】
検定
裸眼で見える、審美的に不快な局在化された過剰の脂肪、例えば腿のセルライト、及び２０〜２７のケトレー（ボディマス）指数を示す１９〜４５歳の２０人の女性の志願者の表面の真皮及び表皮に対して、上述されたプロトコルを用いてＴ１及びＴ２が測定され、Ｎ（Ｈ）が計算された。ケトレー指数は、Ｗ／Ｈ２であり、ここでＷはｋｇで表された体重でありＨはメートル（ｍ）で表された身長である。
【００４９】
臀部及び腿の頂部から膝までの脚部に、図５〜７に示されるような、施与のための所定の一連の手の動きを用いて約３分間、１ヶ月に渡って毎日、朝又は夜、評価を受ける組成物が施与された。
【００５０】
個人は、図５に示されるように、快適な位置を取るために、一方の足を物体、例えば椅子又は浴槽の上に持ち上げることにより始めた。
【００５１】
次に個人は、図６に示されるように、手を膝の一方の側に置き、腿の前方の上に親指を置いた。
【００５２】
次に個人は、素早く、しっかりした動きで滑らかに手を腿の方へと動かし、図７に示されるように、一方の手は、臀部の頂部まで動かされる。
【００５３】
最後に、組成物が完全に浸透するまで、腿の上を交互に行ったり来たりして両手は動かされた。
【００５４】
パラメーターＴ１，Ｔ２，及びＮ（Ｈ）は、いかなる施与よりも前に、表皮及び表面の真皮のためにはじめに取得され、次に４週間の処理後、取得された。
【００５５】
検定の間に施与された組成物のための配合（総組成物重量に関する重量％）は、下に与えられる配合と類似であった。
【００５６】
【表１】
2006522632.tif 000003
【００５７】
水性相及び油相は、冷たいときに、別々に製造され、それから激しく攪拌しながら水性相が油相に分散された。
【００５８】
結果の有意性は、対応のあるスチューデント検定を用いてＴ１及びＮ（Ｈ）について決定された。Ｔ２については、結果の有意性は、固定された因子（実験因子）として時間を用いる混合共分散分析により決定された；同時期の対照におけるＴ２の測定は、共分散(covariable)であり、コントロール因子はランダム因子であった。
【００５９】
検定の間、処理の初めと終わりの間で、対照における値Ｔ１、Ｔ２、及びＮ（Ｈ）に有意な変化はなかった。
【００６０】
【表２】
2006522632.tif 000004
【００６１】
【表３】
2006522632.tif 000005
【００６２】
水含有量の統計的に有意な減少は、皮膚の表面層に見られることができる。この減少は、排出作用を表す。
【００６３】
上記の測定プロトコルは、組成物の排出活性をＮ（Ｈ），Ｔ１，又はＴ２の変化に関して定量化することができる。すなわち、該プロトコルは、脂肪分解性の活性成分を含む化粧料組成物の、皮膚の表面層への意外な活性を実証することができる。
【００６４】
本発明は、特定の活性成分を含む組成物に制限されず、少なくとも１の活性成分、特に、Ｎ（Ｈ）及び／又はＴ１及び／又はＴ２の相対的に大きい減少をもたらし得る排出作用を有する脂肪分解性の活性成分を含む任意の化粧料組成物を包含する。
【００６５】
組成物は、阻害されるべきレセプター、例えばβ―２ブロッカー、ＮＰＹブロッカー（特に欧州特許出願公開第０８３８２１７号に記載されたもの）上で、ホスホジエステラーゼを阻害することによりホスホジエステラーゼへの作用を有するか、又はＬＤＬ又はＶＬＤＬレセプターの合成に作用を有するか、又はβレセプター及びＧタンパクを刺激して、アデニルサイクラーゼ活性化をもたらす少なくとも１の活性成分を含み得る。
【００６６】
組成物は、ペプチドをもまた含み得、特にフランス国特許出願公開第２７８８０５８号、フランス国特許出願公開第２７８１２３１号に記載されたパラチロイドホルモンから由来するペプチド、又はフランス国特許出願公開第２７８６６９３号に記載されたペプチド、又は脂肪分解性を有する任意の他のペプチドをもまた含み得る。
【００６７】
組成物は、プロタミン及びその誘導体、例えばフランス国第２７５８７２４号に記載されているようなプロタミンをもまた含み得る。
【００６８】
明らかに、排出効果を主張する少なくとも１の活性成分に加えて、該組成物は、総組成物重量に関して０．００１〜２０重量％、好ましくは０．１〜１０重量％の量で存在する、例えば他の化合物、特に、化粧料及び／又は皮膚科学の分野で一般的である補助剤、例えば保存料、抗酸化剤、錯化剤、溶媒、香料、フィラー、ＵＶスクリーン、殺微生物剤、臭吸収剤、着色剤、及び脂質ベシクルを含み得、該リストは、制限的ではない。
【００６９】
組成物は、５ｍＬ〜２５０ｍＬであり得る量で、熱可塑性であっても又はなくてもよいパッケージ、例えばポット、フラスコ、又はチューブに包装され得る。
【００７０】
もし適当であれば、施与の間に皮膚にマッサージを行うことができる装置に包装されていてもよい。
【００７１】
該組成物は、施与のときに行われるべきマッサージに関する説明と共に包装されていてもよく、該説明は例えば包装それ自身、又は別の要素、例えばパンフレット、又は印刷されたサポート上に記載されている。
【００７２】
特許請求の範囲を含めた本記載を通して、表現「〜を含む」は、反対に記載されない限り、「少なくとも１の〜を含む」の同義語として理解されるべきである。
【図面の簡単な説明】
【００７３】
【図１】個人のＭＲＩイメージの取得を図式的に表す。
【図２】ＭＲＩイメージの例を示す。
【図３】指数近似（exponential approximation）によるＴ１の計算を可能にする、系列の繰り返し時間Ｔｒの関数としての皮膚層中の関心領域のＭＲＩシグナルの変化の例を示す。
【図４】指数近似（exponential approximation）によるＴ２の計算を可能にする、系列のエコー時間Ｔｅの関数としての皮膚層中の関心領域のＭＲＩシグナルの変化の例を示す。
【図５】組成物を施与する技術の例を示す。
【図６】組成物を施与する技術の例を示す。
【図７】組成物を施与する技術の例を示す。
【図１】
2006522632.tif 000006
【図２】
2006522632.tif 000007
【図３】
2006522632.tif 000008
【図４】
2006522632.tif 000009
【図５】
2006522632.tif 000010
【図６】
2006522632.tif 000011
【図７】
2006522632.tif 000012
【国際調査報告】
2006522632.tif 000013
2006522632.tif 000014
2006522632.tif 000015
2006522632.tif 000016
2006522632.tif 000017
2006522632.tif 000018
2006522632.tif 000019
2006522632.tif 000020
2006522632.tif 000021
2006522632.tif 000022
2006522632.tif 000023
2006522632.tif 000024
2006522632.tif 000025
2006522632.tif 000026
2006522632.tif 000027
2006522632.tif 000028
2006522632.tif 000029
2006522632.tif 000030
2006522632.tif 000031
2006522632.tif 000032
2006522632.tif 000033
2006522632.tif 000034
2006522632.tif 000035